(57)【特許請求の範囲】
【請求項１】
リール本体の左右側板間に回転自在に支持したスプールを動力伝達状態のクラッチＯＮと動力遮断状態のクラッチＯＦＦに切り換え可能なクラッチ機構と、前記クラッチ機構をＯＦＦ操作する切り操作部材と、前記クラッチ機構をＯＮ操作する入り操作部材と、を備え、
前記切り操作部材と入り操作部材を連動可能に連結した魚釣用リールにおいて、
前記入り操作部材は、前記左右両側板の上面を覆う覆い部と、前記左右両側板を横架する横架部とを備え、前記左右両側板上で移動可能に支持されるとともに、前記覆い部の後方側が回動可能に支持されており、前記切り操作部材を切り操作した際、前記覆い部の前方側が左右側板の上面から上昇するように回動されることを特徴とする魚釣用リール。
【請求項２】
前記左右両側板の上面には、前記入り操作部材が配置されて、両側板の表面と略面一状とするように凹所が形成されていることを特徴とする請求項１に記載の魚釣用リール。
【請求項３】
前記入り操作部材の横架部は、前記覆い部の前方側に一体形成され、前記スプールを露出させていることを特徴とする請求項１又は２に記載の魚釣用リール。
【発明の詳細な説明】
【技術分野】
【０００１】
本発明は、リール本体の側板間に回転自在に支持したスプールを、動力伝達状態のクラッチＯＮと動力遮断状態のクラッチＯＦＦに切り換えるクラッチ機構を備えた魚釣用リールに関する。
【背景技術】
【０００２】
従来、魚釣用リールは、例えば、特許文献１や特許文献２に開示されているように、スプール後方の側板間に設けたクラッチ機構の操作部材（切り操作部材）を下方に押圧操作してクラッチＯＦＦとし、スプールフリー状態に切換後、キャスティング操作によって釣糸（仕掛け）を所定のポイントへ放出できるよう構成されている。
【０００３】
そして、これらの特許文献には、仕掛けを放出・着水直後に魚の当たりがあった場合、速やかにクラッチ機構を入り操作（クラッチＯＮ）してフッキングできるように、クラッチ機構の入り操作部材を、スプール上部の左右のフレーム間にスライド可能に配設したり（特許文献１）、反ハンドル側の側板から突出するように回動可能に配設する（特許文献２）ことが開示されている。
【特許文献１】特許第３３８４８３２号
【特許文献２】特許第３３８４９２４号
【発明の開示】
【発明が解決しようとする課題】
【０００４】
上記した特許文献１に開示されている魚釣用リールは、入り操作部材を、左右フレーム間のスプール上部に設けられたサムレストの内側にスライド可能に収容しており、サミング操作する手の指を離すことなくクラッチの入り操作が行えるが、入り操作部材が小さく、また、入り操作部材の操作方向も遠くなるため、キャスティング操作した後のクラッチＯＮの切換操作性に劣るという問題がある。
【０００５】
また、上記した特許文献２に開示されている魚釣用リールは、キャスティング操作後に巻き取り動作に移行するリール本体の持ち換え握持動作と同時にクラッチの入り操作を行うことが可能となっているが、入り操作部材が、ハンドルと反対側の側板表面に、クラッチＯＦＦ時に突出する構成であるため、キャスティング操作後に持ち換えて握持する位置が掌内で保持される側板表面に特定されてしまい、クラッチＯＮの切換操作性に劣るという問題がある。
【０００６】
本発明は、上記した問題に着目してなされたものであり、クラッチＯＦＦからＯＮへの切換操作が容易に行える魚釣用リールを提供することを目的とする。
【課題を解決するための手段】
【０００７】
上記した目的を達成するために、本発明に係る魚釣用リールは、リール本体の左右側板間に回転自在に支持したスプールを動力伝達状態のクラッチＯＮと動力遮断状態のクラッチＯＦＦに切り換え可能なクラッチ機構と、前記クラッチ機構をＯＦＦ操作する切り操作部材と、前記クラッチ機構をＯＮ操作する入り操作部材と、を備え、前記切り操作部材と入り操作部材を連動可能に連結した構成において、前記入り操作部材は、前記左右両側板の上面を覆う覆い部と、前記左右両側板を横架する横架部とを備え、前記左右両側板上で移動可能に支持されるとともに、前記覆い部の後方側が回動可能に支持されており、前記切り操作部材を切り操作した際、前記覆い部の前方側が左右側板の上面から上昇するように回動されることを特徴とする。
【０００８】
上記した構成によれば、切り操作部材によってクラッチ機構を切り操作（ＯＦＦ）した後、リール本体上部の広い範囲内で、釣竿と共にリール本体を握持保持している手の指の押圧操作、或いは、反対側の手でリール本体を保持する操作等をすることで、入り操作部材をクラッチＯＮに切換操作することが可能となる。
【発明の効果】
【０００９】
本発明によれば、クラッチＯＦＦからＯＮへの切換操作が容易に行える魚釣用リールが得られる。
【発明を実施するための最良の形態】
【００１０】
以下、図面を参照して、本発明に係る魚釣用リールの実施形態について具体的に説明する。  
図１から図７は、本発明に係る魚釣用リールの第１の実施形態を示す図であり、図１は、リール本体の平面図、図２は、クラッチ機構の概略構成を示す側面図（クラッチＯＮ状態）、図３は、クラッチ機構の概略構成を示す側面図（クラッチＯＦＦ状態）、図４は、入り操作部材の連結構造部分を拡大して示す平面図、図５（ａ）は、図４のＡ−Ａ線に沿った断面図、図５（ｂ）は、図４のＢ−Ｂ線に沿った断面図、図６は、入り操作部材の操作例を示す平面図、そして、図７は、入り操作部材の操作例を示す側面図である。
【００１１】
図１に示すように、魚釣用リールのリール本体１は、釣糸が巻回されるスプール５を回転可能に支持した左右側板２Ａ，２Ｂを備えている。ここで、「側板」とは、スプール５の両端側に位置する構造体が該当し、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂによって定義される。このため、左右フレームと左右外側板との間の内部空間には、例えば、駆動力伝達機構、クラッチ機構、バックラッシュ防止機構等が設置されるようになっている。なお、フレームと外側板の形状については、適宜変形することが可能であり、それらを構成する材料については限定されることはない。また、外側板のフレームに対する装着方法や装着位置についても、リール本体の構成等により、様々な方法を用いることが可能である。
【００１２】
前記左右フレーム２ａ，２ｂは、複数の支柱を介して一体化されており、その下方側の支柱には、釣竿のリールシートに装着されるリール脚６が設けられている。また、左右フレーム２ａ，２ｂ間には、軸受を介してスプール軸が回転可能に支持されており、このスプール軸に前記スプール５が装着されている。なお、スプール軸を回転可能に支持する軸受は、フレーム部分に配設されていても良いし、外側板部分に配設されていても良い。
【００１３】
前記スプール５は、リール本体１の右側板２Ｂ側に設置されたハンドル８を回転操作することによって回転される。ハンドル８は、右外側板３ｂから突出したハンドル軸８ａの端部に取り付けられており、右外側板との間に介在された逆転防止機構（転がり式一方向クラッチ）によって、釣糸巻取方向にのみ回転可能となっている。
【００１４】
右フレーム２ｂと右外側板３ｂとの間には、ハンドル８の回転運動をスプール軸（スプール５）に伝達する駆動力伝達機構１０、駆動力の伝達を継脱するクラッチ機構２０と、更には、魚釣時にスプール５から釣糸が繰り出された際、スプール５にドラグ力を付与するドラグ機構等が収容されている。
【００１５】
前記駆動力伝達機構１０は、公知のように、ハンドル軸８ａに回転可能に支持された駆動歯車１１と、この駆動歯車１１に噛合するピニオン１２とを備えている。前記ピニオン１２は、スプール軸と同軸上に設置されており、ピニオン軸１２ａに沿って軸方向に移動可能となっている。また、ピニオン１２の外周には、円周溝が形成されており、この円周溝に、後述するクラッチ機構２０のヨーク２７が係合して、ピニオン１２を軸方向に移動させるようになっている。すなわち、ピニオン１２が軸方向に移動することで、スプール軸との間で継脱がなされ、動力伝達状態（クラッチＯＮ）／動力遮断状態（クラッチＯＦＦ）に切り換えられるようになっている。
【００１６】
前記クラッチ機構２０は、右フレーム２ｂに沿って回動可能に支持されたクラッチ駆動部材２１と、このクラッチ駆動部材２１を駆動する操作部材とを備えている。この操作部材は、後述するように、クラッチ機構２０をＯＮ状態からＯＦＦ状態に切換操作する切り操作部材２３と、クラッチ機構２０をＯＦＦ状態からＯＮ状態に切換操作する入り操作部材２４とを備えており、これら切り操作部材２３と入り操作部材２４は、連結機構２５を介して連動可能に連結されている。
【００１７】
前記クラッチ駆動部材２１は、公知のように、右フレーム２ｂに対して回動可能に支持され、振分けバネ２６によって、図２に示す動力伝達状態（クラッチＯＮ状態）と、図３に示す動力遮断状態（クラッチＯＦＦ状態）に振分け保持されるようになっている。また、クラッチ駆動部材２１の表面には、前記ピニオン１２の円周溝に嵌合したヨーク２７と係合可能な一対のカム面が形成されている。
【００１８】
前記ヨーク２７の先端側は、右フレーム２ｂに突設された支持ピン２９によって保持されており、ヨーク２７は、各支持ピンに配設されたバネ部材（図示せず）によって常時、クラッチ駆動部材２１側に付勢された状態となっている。なお、図２は、ヨーク２７がバネ部材によってクラッチ駆動部材２１側に付勢された状態を示しており、このとき、ピニオン１２はスプール軸の端部に形成されている係合部に嵌合してクラッチＯＮ状態となっている。
【００１９】
前記クラッチ駆動部材２１には、その端部に、折曲部２１ａが形成されており、この折曲部２１ａは、右フレーム２ｂに形成された長孔２ｃを介して、スプール５の後方側で左フレーム側に向けて突出している。そして、この折曲部２１ａには、図１に示すように、スプール５の後方側の左右側板２Ａ，２Ｂ間に配置された切り操作部材２３が一体的に取り付けられており、長孔２ｃに沿って下方に向けて押圧駆動されるようになっている。
【００２０】
また、上記したように、切り操作部材２３には、連結機構２５を介して入り操作部材２４が連動可能に連結されている。  
ここで、入り操作部材２４、及び連結機構２５の構成について説明する。
【００２１】
入り操作部材２４は、前記左右側板２Ａ，２Ｂの上方に設置されており、リール本体１を握持保持した手で操作できる形状に形成され、操作可能な位置に設けられている。具体的には、平面視でスプール５（リール本体１）の中心を通る縦軸線に対して、左右対称形状に形成された略コの字状に形成されており、左右両側板２Ａ，２Ｂの上面をそれぞれ覆う覆い部２４ａ，２４ｂと、左右両側板２Ａ，２Ｂを横架する横架部２４ｃとを備えている。そして、横架部２４ｃは、覆い部２４ａ，２４ｂの前方側で、スプール５を露出させる位置で横架されている。
【００２２】
このような入り操作部材２４は、ＯＦＦ状態にあるクラッチ機構２０をＯＮ状態に切り換え操作するものであり、釣竿と共にリール本体を握持、保持している側の手の指で簡単に切換操作が行え、或いは、それとは反対側の手をリール本体１に添えるような簡単な動作で切換操作が行えるよう、リール本体の左右側板２Ａ，２Ｂの上面側の広い範囲を覆うよう構成されている。
【００２３】
入り操作部材２４の大きさについては、リール本体１の大きさ（レベルワインド機構の有無、スプールの糸巻き容量等）に依存するが、リール本体１を平面視した場合のリール本体の前後方向の最大長さをＬ、左右方向の最大幅をＷとすると、入り操作部材２４の前後方向の長さＬ１は、Ｌの５０％以上、左右方向の幅Ｗ１は、Ｗの６０％以上確保されていることが好ましい。また、前記覆い部２４ａ，２４ｂ、及び横架部２４ｃは、略コの字型で一体形成されているが、その幅については、操作性を考慮して３ｍｍ以上あることが望ましく、５ｍｍ以上あることがより好ましい。
【００２４】
また、入り操作部材２４は、左右両側板２Ａ，２Ｂ上で移動可能となるように支持されている。本実施形態では、覆い部２４ａ，２４ｂのそれぞれの基端側（後方側）の支持部２４ｄに開口孔を形成し、ここに各左右フレーム２ａ，２ｂに突出形成された支軸２ｄを嵌め込むことで、入り操作部材２４の前方側が上昇されるように回動支持されている。なお、図４及び図５に示すように、外側板（右外側板のみ図示）３ｂには、抜け止め用の規制突部３ｄが形成されており、入り操作部材２４が支軸２ｄから外れないよう構成されている。
【００２５】
さらに、入り操作部材２４は、左右両側板２Ａ，２Ｂを覆うように配設されていれば良いが、図１、図２及び図５に示すように、左右両側板２Ａ，２Ｂの上面に凹所２Ｄを形成しておき、この凹所内に入り操作部材２４を設置することが好ましい。すなわち、図２に示すように、クラッチＯＮ状態では、入り操作部材２４の表面と、左右両側板２Ａ，２Ｂの表面が略面一状となるようにすることで、外観の向上が図れると共に、釣糸の引っ掛かり等を防止することが可能となる。
【００２６】
前記入り操作部材２４と、切り操作部材２３を連動可能に連結する連結機構２５は、右側板２Ｂ側に配設されている。連結機構２５は、前記クラッチ駆動部材２１の折曲部２１ａの上方に突出形成された突片２１ｂと、覆い部２４ｂの支持部２４ｄとの間を連結する連結部材２５ａを備えている。この場合、連結部材２５ａは、一端側が支持部２４ｄに嵌合され、他端側が突片２１ｂに形成された長孔２１ｃに係合されている。
【００２７】
そして、クラッチ機構をＯＦＦすべく、切り操作部材２３を押圧操作すると、連結部材２５ａが下方側に引っ張られることから、図３に示すように、入り操作部材２４は、支軸２ｄを中心にして反時計回り方向に回動され、覆い部の前方側が、左右側板の上面から上昇するように回動駆動される。なお、長孔２１ｃは、連結部材２５ａが切り操作部材２３の押圧操作によって下方に引っ張られた際、覆い部の前方側が上昇し過ぎないようにするものであり、その長さについては、支軸２ｄの位置や覆い部の前後方向の長さによって適宜変形される。
【００２８】
また、上記のように構成されたクラッチ機構２０には、クラッチＯＦＦ状態において、ハンドル８を巻き取り操作した際、自動的にクラッチ駆動部材２１をクラッチＯＮ状態の位置に復帰させる公知のクラッチ自動復帰機構３０が設けられている。
【００２９】
次に、上述したように構成される魚釣用リールの作用、及び効果について説明する。  
図１及び図２に示すクラッチＯＮ状態において、スプール後方側に位置する切り操作部材２３を押圧操作すると、クラッチ駆動部材２１は、反時計回りに回動され、振分けバネ２６によって、図３に示す状態に保持される。このとき、クラッチ駆動部材２１の表面に形成されたカム面２８がヨーク２７を軸方向にシフトさせ、ピニオン１２をスプール軸から離脱させる（クラッチＯＦＦ状態）。また、切り操作部材２３の押圧操作により、上記した連結部材２５ａを介して入り操作部材２４は、支軸２ｄを中心にして、その前方側が左右側板２Ａ，２Ｂから上昇するように回動される。この状態で、スプール５はフリー回転可能状態となっており、キャスティング操作等により、仕掛けの放出が成される。
【００３０】
そして、図６及び図７の点線に示すように、釣竿と共にリール本体を握持、保持している手の指（主にサミング操作している親指）を、多少、前方にずらして横架部２４ｃを下方に押圧したり、或いは、サイドにずらして覆い部２４ａ、或いは２４ｂを下方に押圧することで、上記した連結部材２５ａは上方に引っ張られる。これにより、クラッチ駆動部材２１は、図３に示す状態から時計回り方向に回動され、振分けバネ２６によって、図２に示すクラッチＯＮ状態に復帰される。
【００３１】
以上のように、リール本体１の上部の広い範囲内に、クラッチ機構を入り操作する（ＯＮ操作する）入り操作部材２４を設置したことで、無理なく、かつ容易にクラッチのＯＦＦからＯＮへの切換操作が可能となる。例えば、キャスティングして仕掛けが着水した直後に魚が掛かっても、スプール５をサミングしている親指を、単に、その周囲の領域である覆い部２４ａ，２４ｂ或いは横架部２４ｃにずらす操作をするだけでクラッチＯＮにすることが可能となり、容易にフッキングすることが可能となる。
【００３２】
或いは、釣竿と共にリール本体を握持、保持している側の手と反対側の手を、そのままリール本体１に添えるような簡単な動作をすることでも、クラッチＯＮにすることが可能となり、操作性の向上が図れるようになる。特に、入り操作部材２４は、クラッチＯＦＦ時において、前方側が、次第に大きく上昇した状態で保持されているため、その前方側を軽く押圧したり、傾斜に沿って押圧することで、容易にクラッチＯＮに切換操作することが可能となる。
【００３３】
また、上記した実施形態では、入り操作部材２４の横架部２４ｃは、スプール５を露出させて、その前方側で左右側板２Ａ，２Ｂを跨ぐように配設されているため、実釣時において、サムレストとしての機能を果たすことが可能となる。もちろん、そのような横架部２４ｃの位置や幅については、適宜変形することが可能である。
【００３４】
図８及び図９は、本発明の第２の実施形態を示す図であり、図８は、平面図、図９は、クラッチ機構の概略構成を示す側面図（クラッチＯＮ状態）である。
【００３５】
上記した第１の実施形態では、切り操作部材２３は、スプール５の後方側で、両側板２Ａ，２Ｂ間に押圧操作可能に支持されていたが、両側板間に配設されていない構成であっても良い。例えば、図に示すように、切り操作部材２３Ａは、クラッチ機構２０が配設されている右側板２Ｂ側で、その後方に突出して押圧操作可能となるように配設されていても良い。
【００３６】
このように、切り操作部材については、その配設位置、及び形状、さらには、操作方向について、適宜変形することが可能である。
【００３７】
図１０は、本発明の第３の実施形態を示す平面図である。  
上記した入り操作部材２４については、クラッチのＯＮ操作が容易になるように、左右側板２Ａ，２Ｂ上を覆うように構成されていれば良い。このため、例えば、図１０に示すように、側板２Ａ，２Ｂを構成する左右フレーム２ａ，２ｂ、及びそれを覆う左右外側板３ａ，３ｂの内、外側板まで延設することなく、左右フレーム２ａ，２ｂのみを覆う構成であっても良い。或いは、図示しないが、外側板３ａ，３ｂのみを覆う構成であっても良い。
【００３８】
このような構成においても、上記した実施形態と同様な作用効果を得ることが可能となる。
【００３９】
図１１及び図１２は、本発明の第４の実施形態を示す図であり、図１１は、クラッチ機構の概略構成を示す側面図、図１２は、図１１のＣ−Ｃ線に沿った断面図である。
【００４０】
本実施形態における入り操作部材２４Ａは、左右フレーム２ａ，２ｂに対して、上下方向に摺動可能に支持されている。すなわち、入り操作部材２４Ａを構成する覆い部の前後方向には、下方に向けて延出する支持部２４ｅが一体形成されており、この支持部２４ｅが左右フレームに形成されたガイド２ｆに配されることで、入り操作部材２４Ａは、上下方向に摺動可能に支持されている。
【００４１】
支持部２４ｅには、空洞部２４ｆが形成されており、その空洞部に、フレームに突出形成された突部２ｇとの間で押圧バネ２４ｇが介在され、入り操作部材２４Ａを、常時、下向きに付勢している（クラッチＯＮ状態に付勢している）。
【００４２】
また、支持部２４ｅの一つは、図１１に示すように、クラッチ駆動部材２１の外縁に形成されたカム部２１ｆに当接されており、クラッチ駆動部材２１Ａが、切り操作部材２３の押圧操作によってクラッチＯＦＦ状態となるように回動された際、前記支持部２４ｅを、押圧バネ２４ｇの付勢力に抗して押し上げるように構成されている。すなわち、クラッチＯＦＦ状態に切り換えられると、入り操作部材２４Ａは、図１１の２点鎖線で示すように、上方側にスライド駆動されるようになっている。
【００４３】
このように、入り操作部材については、上述した実施形態のように、基端部を中心にして回動可能に支持しても良いし、本実施形態のように、上下方向にスライド可能に支持しても良い。或いは、図示しないが、入り操作部材については、リール本体１の左右側板２Ａ，２Ｂの上部において、前後方向にスライドするように支持されていても良い。
【００４４】
以上、本発明の実施形態について説明したが、本発明は、上記した実施形態に限定されることはなく、種々変形することが可能である。本発明は、リール本体１の左右両側板２Ａ，２Ｂの上方で、入り操作部材が移動可能に支持されていれば良く、その支持方法や移動方向については、適宜変形することが可能である。また、入り操作部材の形状についても適宜変形することが可能であり、例えば、左右側板上を覆う覆い部のみによって構成しても良い。
【図面の簡単な説明】
【００４５】
【図１】本発明に係る魚釣用リールの第１の実施形態を示す平面図。
【図２】クラッチ機構の概略構成を示す側面図（クラッチＯＮ状態）。
【図３】クラッチ機構の概略構成を示す側面図（クラッチＯＦＦ状態）。
【図４】入り操作部材の連結構造部分を拡大して示す平面図。
【図５】（ａ）は、図４のＡ−Ａ線に沿った断面図、（ｂ）は、図４のＢ−Ｂ線に沿った断面図。
【図６】入り操作部材の操作例を示す平面図。
【図７】入り操作部材の操作例を示す側面図。
【図８】本発明の第２の実施形態を示す平面図。
【図９】クラッチ機構の概略構成を示す側面図（クラッチＯＮ状態）。
【図１０】本発明の第３の実施形態を示す平面図。
【図１１】本発明の第３の実施形態を示す図であり、クラッチ機構の概略構成を示す側面図。
【図１２】図１１のＣ−Ｃ線に沿った断面図。
【符号の説明】
【００４６】
１  リール本体
２Ａ，２Ｂ  左右側板
２ａ，２ｂ  左右フレーム
３ａ，３ｂ  左右外側板
５  スプール
２０  クラッチ機構
２３  切り操作部材
２４  入り操作部材
２４ａ，２４ｂ  覆い部
２４ｃ  横架部
２５  連結機構
２５ａ  連結部材
【図１】
0004939475.tif 000002
【図２】
0004939475.tif 000003
【図３】
0004939475.tif 000004
【図４】
0004939475.tif 000005
【図５】
0004939475.tif 000006
【図６】
0004939475.tif 000007
【図７】
0004939475.tif 000008
【図８】
0004939475.tif 000009
【図９】
0004939475.tif 000010
【図１０】
0004939475.tif 000011
【図１１】
0004939475.tif 000012
【図１２】
0004939475.tif 000013